【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
２つの平面部及び一辺に封緘可能な口部を有する袋本体を有し、
前記袋本体の内側には、第一嵌合片が設けられた第一基部と、前記第一嵌合片と嵌合する第二嵌合片が設けられた第二基部とを有するチャックテープを備え、
前記チャックテープは、前記袋本体の内面上にて、前記平面部の一方の平面部と区画壁とで形成された嵌合室内に備えられ、
前記第一基部は、前記一方の平面部に設けられ、
前記第二基部は、前記区画壁に設けられ、
前記嵌合室は、前記チャックテープにより、２つの小嵌合室に分割され、
前記小嵌合室の一方の小嵌合室には、袋本体外側から開口可能とされ、他方の小嵌合室には、嵌合室と袋内部空間とを連通する手段が設けられている再封可能袋体。
【請求項２】
２つの平面部及び一辺に封緘可能な口部を有する袋本体を有し、
前記袋本体の内側には、第一嵌合片が設けられた第一基部と、前記第一嵌合片と嵌合する第二嵌合片が設けられた第二基部とを有するチャックテープを備えると共に、前記平面部の一方の平面部と前記第二基部とで囲われた嵌合室が形成され、
前記嵌合室は、前記第一嵌合片と前記第二嵌合片とからなる嵌合片対により、２つの小嵌合室に分割され、
前記小嵌合室の一方の小嵌合室には、袋本体外側から開口可能とされ、他方の小嵌合室には、嵌合室と袋内部空間とを連通する手段が設けられている再封可能袋体。
【請求項３】
前記袋本体は、前記口部と対向する側に注出手段を有することを特徴とする、請求項１または２に記載の再封可能袋体。
【請求項４】
請求項１乃至３のいずれか１項に記載の再封可能袋体に栄養食品を収容した、容器包装詰栄養食品。
【請求項５】
請求項２の再封可能袋体に備えられるチャックテープであって、前記第二基部の幅方向の長さが、前記第一基部の幅方向の長さよりも長く、前記第二基部には、長手方向に延びる山型形状の弱化部または薄肉化部分からなる断裂手段が設けられていることを特徴とするチャックテープ。
【手続補正２】
【補正対象書類名】明細書
【補正対象項目名】０００４
【補正方法】変更
【補正の内容】
【０００４】
従来、経腸栄養食用袋としては、平袋の底辺側に注出口を設け、底辺と対向する側に前述した一般チャックテープを備えることにより、開閉可能とした袋体が用いられている。
しかし、このような形態の袋体を経腸栄養用袋として単に採用し、チャックテープ側から内容物を充填しようとすると、嵌合したチャックテープを解除して充填し、チャックテープよりも口部側でシールする際には、チャックテープを再度嵌合させる必要がある。このため、内容物の充填作業が煩雑となる。また、底辺側から内容物を充填しようとしても、注出口が底辺側に設けられている場合には、汎用機では充填・密封をすることができない。加えて、チャックテープへの内容物の付着は避けられない。このような問題に対して、チャックテープと底辺との間に隔壁を設け、注出口を平袋の角部に設け、底辺から内容物を充填した、チャックテープを汚染させない再封可能袋体の発明が開示されている（例えば、特許文献２、３）。
また、チャックテープの雄部および雌部の基部が延設され、弱化部を介して連接され、充填時に、チャックテープへの内容物付着を防止できるチャックテープが開示されている（例えば、特許文献４）。
また、前述したポケットジップ（登録商標）タイプの再封可能袋体を用い、チャックテープを設けた側から内容物の充填が行える再封可能袋体の発明が開示されている（例えば、特許文献５）。
【特許文献１】特許第２７４９８８６号公報
【特許文献２】特開２００１−２９９８７５号公報
【特許文献３】特開２００５−４０６３０号公報
【特許文献４】特開２００５−２０６２２１号公報
【特許文献５】特開２００６−１２３９４９号公報
【手続補正３】
【補正対象書類名】明細書
【補正対象項目名】０００６
【補正方法】変更
【補正の内容】
【０００６】
［１］本発明の再封可能袋体は、２つの平面部及び一辺に封緘可能な口部を有する袋本体を有し、前記袋本体の内側には、第一嵌合片が設けられた第一基部と、前記第一嵌合片と嵌合する第二嵌合片が設けられた第二基部とを有するチャックテープを備え、前記チャックテープは、前記袋本体の内面上にて、前記平面部の一方の平面部と区画壁とで形成された嵌合室内に備えられ、前記第一基部は、前記一方の平面部に設けられ、前記第二基部は、前記区画壁に設けられ、前記嵌合室は、前記チャックテープにより、２つの小嵌合室に分割され、前記小嵌合室の一方の小嵌合室には、袋本体外側から開口可能とされ、他方の小嵌合室には、嵌合室と袋内部空間とを連通する手段が設けられていることを特徴とする。
［２］本発明の再封可能袋体は、２つの平面部及び一辺に封緘可能な口部を有する袋本体を有し、前記袋本体の内側には、第一嵌合片が設けられた第一基部と、前記第一嵌合片と嵌合する第二嵌合片が設けられた第二基部とを有するチャックテープを備えると共に、前記平面部の一方の平面部と前記第二基部とで囲われた嵌合室が形成され、前記嵌合室は、前記第一嵌合片と前記第二嵌合片とからなる嵌合片対により、２つの小嵌合室に分割され、前記小嵌合室の一方の小嵌合室には、袋本体外側から開口可能とされ、他方の小嵌合室には、嵌合室と袋内部空間とを連通する手段が設けられていることを特徴とする。
［３］前記袋本体は、前記口部と対向する側に注出手段を有していても良い。
【手続補正４】
【補正対象書類名】明細書
【補正対象項目名】０００７
【補正方法】変更
【補正の内容】
【０００７】
［４］本発明の容器包装詰栄養食品は、［１］乃至［３］のいずれかの再封可能袋体に栄養食品を収容したことを特徴とする。
【手続補正５】
【補正対象書類名】明細書
【補正対象項目名】０００８
【補正方法】変更
【補正の内容】
【０００８】
［５］本発明のチャックテープは、前記［２］の再封可能袋体に備えられるチャックテープであって、前記第二基部の幅方向の長さが、前記第一基部の幅方向の長さよりも長く、前記第二基部には、長手方向に延びる山型形状の弱化部または薄肉化部分からなる断裂手段が設けられていることを特徴とする。
【手続補正６】
【補正対象書類名】明細書
【補正対象項目名】００３９
【補正方法】変更
【補正の内容】
【００３９】
（第二の実施形態）
本発明の第二の実施形態について、図６を用いて説明する。図６は、本発明の第二の実施形態にかかる再封可能袋体４００の部分断面図である。
再封可能袋体４００は、平面部１１と平面部１２とが対向して配置され、両側端部と底辺の三方がヒートシールされた平袋の袋本体４１０を有する。図６に示すように、再封可能袋体４００は、区画壁４３０の長さ方向の辺の一方が、接着面４４３で平面部１１に接着され、他方の辺が、易剥離面４４５で平面部１１と接着されて、嵌合室４４０が形成されている。嵌合室４４０内には、第一嵌合片３２が設けられた第一基部２２と、第二嵌合片３４が設けられた第二基部４２４とで構成されているチャックテープ４２０が備えられている。第二基部４２４は、区画壁４３０に固定されている。そして、嵌合室４４０は、チャックテープ４２０によって、小嵌合室４４２と小嵌合室４４４とに分割されている。
【手続補正７】
【補正対象書類名】明細書
【補正対象項目名】００４２
【補正方法】変更
【補正の内容】
【００４２】
（第三の実施形態）
本発明の第三の実施形態について、図７を用いて説明する。図７は、本発明の第三の実施形態にかかる再封可能袋体５００の部分断面図である。第三の実施形態は、「嵌合室と袋内部空間とを連通する手段」を第一の実施形態の易剥離面４５に替えて、断裂手段５２６としたものである。
再封可能袋体５００は、平面部１１と平面部１２とが対向して配置され、両側端部および底辺部の三方がヒートシールされた平袋の袋本体５１０を有する。図７に示すように、平面部１１の袋本体内部５１８側に嵌合室５４０が形成され、嵌合室５４０には、チャックテープ５２０が備えられている。チャックテープ５２０は、第一嵌合片３２が設けられた第一基部２２と、第二嵌合片３４が設けられた第二基部５２４とで構成されている。
第二基部５２４には、第二嵌合片３４と接着面５４５との間に、断裂手段５２６が設けられている。第二基部５２４は、接着面５４３、５４５により、平面部１１の袋本体内部５１８側に接着されている。こうして、第二基部５２４と平面部１１とで囲われた空間である嵌合室５４０が形成されている。嵌合室５４０は、チャックテープ５２０により分割されて、口部１４側の小嵌合室５４２と、底辺部側の小嵌合室５４４とが形成されている。
【手続補正８】
【補正対象書類名】明細書
【補正対象項目名】００４８
【補正方法】変更
【補正の内容】
【００４８】
第一〜第三の実施形態では、袋本体の成形は、平面部となる包材フィルムを対向して張り合わせた、いわゆる三方シールの平袋であるが、本発明の再封可能袋体はこれに限られず、合掌貼りの袋であっても良いし、スタンディングパウチ型であっても良いし、側面部に折込部を有するガセット形状でも良い。